(57)【要約】【課題】  携帯電話の表示面を容易に拭くことができる携帯電話の表示面用クリーナを提供する。【解決手段】  繊維布１の裏面１ｂに、補強用樹脂フィルム４と、携帯電話本体に着脱可能に貼るための感圧接着剤層５が、順次積層している。樹脂フィルム４はＰＥＴから成る。樹脂フィルム４の厚さＴ4 を、45μm ≦Ｔ4 ≦ 110μm に設定する。【選択図】  図３
2006025977.tif 000002
【特許請求の範囲】
【請求項１】
繊維布（１）の裏面（１ｂ）に、補強用樹脂フィルム（４）と、携帯電話本体（Ｋ1 ）に着脱可能に貼るための感圧接着剤層（５）を、順次積層させたことを特徴とする携帯電話の表示面用クリーナ。
【請求項２】
樹脂フィルム（４）はＰＥＴから成り、該樹脂フィルム（４）の厚さ（Ｔ4 ）を、45μm ≦Ｔ4 ≦110 μm に設定した請求項１記載の携帯電話の表示面用クリーナ。
【請求項３】
全体形状が矩形シート状であって、該矩形の縦寸法（Ｌ1 ）を25mm≦Ｌ1 ≦35mmに設定するとともに、横寸法（Ｌ2 ）を25mm≦Ｌ2 ≦35mmに設定した請求項１又は２記載の携帯電話の表示面用クリーナ。
【請求項４】
繊維布（１）の繊維直径（ｄ）を１μm ≦ｄ≦４μm に設定し、該繊維布（１）の表て面（１ａ）に、オフセット印刷による宣伝広告表示部（２）を有する請求項１，２又は３記載の携帯電話の表示面用クリーナ。
【発明の詳細な説明】
【技術分野】
【０００１】
本発明は、携帯電話の表示面用クリーナに関する。
【背景技術】
【０００２】
従来、携帯電話の表示面（液晶画面）をクリーニングするために、布を有する携帯用（持運び用）液晶画面クリーナーが用いられている（例えば、特許文献１参照）。
【０００３】
しかし、従来の持運び用液晶画面クリーナーは、携帯電話のストラップに付設した状態で使用するので、手の動きが（ストラップにより）制限されて拭きにくいという欠点があった。
【特許文献１】実用新案登録第 3093247号公報
【発明の開示】
【発明が解決しようとする課題】
【０００４】
解決しようとする課題は、ストラップにより手の動きが制限されて拭きにくい点である。
【課題を解決するための手段】
【０００５】
そこで、本発明に係る携帯電話の表示面用クリーナは、繊維布の裏面に、補強用樹脂フィルムと、携帯電話本体に着脱可能に貼るための感圧接着剤層を、順次積層させたものである。また、樹脂フィルムはＰＥＴから成り、該樹脂フィルムの厚さＴ4 を、45μm ≦Ｔ4 ≦ 110μm に設定したものである。また、全体形状が矩形シート状であって、該矩形の縦寸法Ｌ1 を25mm≦Ｌ1 ≦35mmに設定するとともに、横寸法Ｌ2 を25mm≦Ｌ2 ≦35mmに設定したものである。また、繊維布の繊維直径ｄを１μm ≦ｄ≦４μm に設定し、該繊維布の表て面に、オフセット印刷による宣伝広告表示部を有するものである。
【発明の効果】
【０００６】
本発明の携帯電話の表示面用クリーナによれば、携帯電話の表示面を容易に拭くことができる。また、低コストで製造することができる。
【発明を実施するための最良の形態】
【０００７】
図１は本発明の実施の一形態を携帯電話本体Ｋ1 に着脱可能に貼着した状態を示す。この携帯電話の表示面用クリーナＣを使用するには、クリーナＣを携帯電話本体Ｋ1 から離脱させて、図２に示すように、（後述の）繊維布１を表示面Ｈに摺動させて、表示面Ｈに付着した埃や油汚れを払拭する。クリーナＣは、全体形状が矩形シート状であって、矩形の縦寸法Ｌ1 は25mm≦Ｌ1 ≦35mmに設定されており、かつ、横寸法Ｌ2 は25mm≦Ｌ2 ≦35mmに設定されている。縦寸法Ｌ1 及び横寸法Ｌ2 が上記範囲より小さい場合、手で保持しにくく、使用しにくい。また、縦寸法Ｌ1 及び横寸法Ｌ2 が上記範囲より大きい場合、携帯電話本体Ｋ1 に貼着したときに、一部が携帯電話本体Ｋ1 からはみ出た状態になる虞れがある。繊維布１の表て面１ａに、オフセット印刷による宣伝広告表示部２を有する。宣伝広告表示部２は、例えば、文字、イラスト、図案等から成り、特に商標、会社名、ブランド名等を表示するのが好ましい。
【０００８】
図３に示すように、クリーナＣは、繊維布１の裏面１ｂに、アクリル系粘着剤から成る粘着層３と、補強用樹脂フィルム４と、携帯電話本体Ｋ1 （図１・図２参照）に着脱可能に貼るための感圧接着剤層５と、剥離紙６が、順次積層されている。（図１に示すように携帯電話本体Ｋ1 に貼着する前に、剥離紙６を剥離する。）
繊維布１の繊維直径ｄは１μm ≦ｄ≦４μm に設定されている。ｄ＜１μm の場合、製造するのに手間がかかるとともにコスト高になる。また、４μm ＜ｄの場合、埃や油汚れを払拭する効率が悪くなる。繊維布１の厚さＴ1 は、 250μm ≦Ｔ1 ≦ 350μm に設定されている。Ｔ1 ＜ 250μm の場合、製造するのに手間がかかり、コスト高になる。また、 350μm ＜Ｔ1 の場合、特に払拭力が大きくなるわけでもなく、効率が悪い。
【０００９】
樹脂フィルム４は例えば、ＰＥＴ、ポリエステル、ポリビニル等から成る。樹脂フィルム４の厚さＴ4 は、45μm ≦Ｔ4 ≦ 110μm に設定されている。厚さＴ4 が上記範囲にある場合、クリーナＣを折曲げ状にした時に、適度な剛性があり、全体形状が小さくても、携帯電話Ｋ（図１・図２参照）の表示面Ｈに付着した埃や油汚れを容易に払拭することができる。Ｔ4 ＜45μm の場合、クリーナＣを折曲げ状にした時の剛性が小さく、携帯電話Ｋの表示面Ｈに付着した埃や油汚れを払拭しにくい。また、 110μm ＜Ｔ4 の場合、クリーナＣを折曲げ状にするために比較的大きな力が必要であって、使用しにくい。なお、樹脂フィルム４の厚さＴ4 は、好ましくは、60μm ≦Ｔ4 ≦ 100μm に設定されている。
【００１０】
感圧接着剤層５は、例えば、ウレタン系粘着剤から成る。感圧接着剤層５の厚さＴ5 は、30μm ≦Ｔ5 ≦70μm に設定されている。厚さＴ5 が上記範囲にある場合、適度な粘着力を効率良く得ることができる。Ｔ5 ＜30μm の場合、粘着力が小さくなる虞れがある。また、 110μm ＜Ｔ5 の場合、特に粘着力が大きくなるわけでもなく、効率が悪い。
剥離紙６は、例えば、シリコンペーパーから成る。
【００１１】
なお、本発明は、設計変更可能であって、例えば、全体形状が円形であるも良い。また、宣伝広告表示部２の代わりに、アートや名前等の個性的なデザインを表示するも良い。
【００１２】
以上のように、本発明は、繊維布１の裏面１ｂに、補強用樹脂フィルム４と、携帯電話本体Ｋ1 に着脱可能に貼るための感圧接着剤層５を、順次積層させたので、ストラップの長さによって手の動きを制限されることなく、自由に手を動かすことができるとともに、補強用樹脂フィルム４の剛性によって、腰をもたせることができ、携帯電話Ｋの表示面Ｈを容易に拭くことができる。特に、全体の厚さが薄くても適度な剛性をもたせることができる。また、剛性があるので、小さな面でも非常に良く磨くことができる。また、ストラップが不要であって、コンパクトに携帯することができる。すなわち、邪魔にならない。また、構造が簡易であって、低コストで製造することができる。さらに、繊維布１が使用により汚れた場合、繊維布１を洗って拭取り性能を回復することができる。感圧接着剤層５の接着力が弱くなったときは、湿った布で表面を拭いたり、中性洗剤で汚れを洗い落とすことにより、接着力が復元する。また、ガラス面、プラスチック面、金属面等に付着している埃や油汚れを容易に拭取ることができる。
【００１３】
また、樹脂フィルム４はＰＥＴから成り、樹脂フィルム４の厚さＴ4 を、45μm ≦Ｔ4 ≦ 110μm に設定したので、適度な剛性を得ることができ、取扱いが容易であって、携帯電話Ｋの表示面Ｈを容易に拭くことができる。
また、全体形状が矩形シート状であって、矩形の縦寸法Ｌ1 を25mm≦Ｌ1 ≦35mmに設定するとともに、横寸法Ｌ2 を25mm≦Ｌ2 ≦35mmに設定したので、取扱いが容易であり、かつ、携帯電話本体Ｋ1 からはみ出さないように携帯電話本体Ｋ1 に貼着することができる。
また、繊維布１の繊維直径ｄを１μm ≦ｄ≦４μm に設定し、繊維布１の表て面１ａに、オフセット印刷による宣伝広告表示部２を有するので、容易に製造することができるとともに、埃や油汚れを払拭する効率が良い。また、携帯電話Ｋの使用者や、周囲の人に、有効的に宣伝広告をすることができる。また、繊維布１の表て面１ａにごわつきがなく、使用感が良い。
【図面の簡単な説明】
【００１４】
【図１】本発明の使用状態を示す説明図である。
【図２】本発明の使用状態を示す説明図である。
【図３】本発明の実施の一形態を示す断面正面図である。
【符号の説明】
【００１５】
１  繊維布
１ａ  表て面
１ｂ  裏面
２  宣伝広告表示部
４  （補強用）樹脂フィルム
５  感圧接着剤層
Ｋ1   携帯電話本体
Ｌ1   縦寸法
Ｌ2   横寸法
Ｔ4   厚さ
【図１】
2006025977.tif 000003
【図２】
2006025977.tif 000004
【図３】
2006025977.tif 000005